(57)【要約】【課題】ＬＤＡＰサーバ等の情報管理サーバからユーザ情報を取得して管理する情報処理装置に関して、情報管理サーバから取得されるユーザ情報の取得項目と、情報処理装置に管理されるユーザ情報の管理項目との対応関係をカスタマイズする手法を提案すること。【解決手段】ユーザ情報を管理する情報管理サーバからユーザ情報を取得する情報取得手段と、前記情報取得手段により取得されたユーザ情報を管理する情報管理手段を備える情報処理装置であって、前記情報取得手段により取得されるユーザ情報の取得項目と前記情報管理手段により管理されるユーザ情報の管理項目との対応関係が記入された記入用紙から取得された画像に基づいて、前記取得項目と前記管理項目との対応関係をカスタマイズするカスタマイズ手段を備えることを特徴とする情報処理装置。【選択図】    図１４
2004272687.tif 000002
【特許請求の範囲】
【請求項１】
ユーザ情報を管理する情報管理サーバからユーザ情報を取得する情報取得手段と、前記情報取得手段により取得されたユーザ情報を管理する情報管理手段を備える情報処理装置であって、
前記情報取得手段により取得されるユーザ情報の取得項目と前記情報管理手段により管理されるユーザ情報の管理項目との対応関係が記入された記入用紙から取得された画像に基づいて、前記取得項目と前記管理項目との対応関係をカスタマイズするカスタマイズ手段を備えることを特徴とする情報処理装置。
【請求項２】
ユーザ情報を管理する情報管理サーバからユーザ情報を取得する情報取得手段と、前記情報取得手段により取得されたユーザ情報を管理する情報管理手段を備える情報処理装置であって、
前記情報取得手段により取得されるユーザ情報の取得項目と前記情報管理手段により管理されるユーザ情報の管理項目との対応関係を記入するための記入用紙を印刷するための画像を送信する画像出力手段と、前記画像出力手段により送信された画像により印刷されて前記取得項目と前記管理項目との対応関係が記入された記入用紙から取得された画像を受信する画像入力手段と、前記画像入力手段により受信された画像に基づいて、前記取得項目と前記管理項目との対応関係をカスタマイズするカスタマイズ手段を備えることを特徴とする情報処理装置。
【請求項３】
ユーザ情報を管理する情報管理サーバからユーザ情報を取得する情報取得手段と、前記情報取得手段により取得されたユーザ情報を管理する情報管理手段を備える情報処理装置であって、
前記情報取得手段により取得されるユーザ情報の取得項目と前記情報管理手段により管理されるユーザ情報の管理項目との対応関係がカスタマイズされている場合において、前記情報取得手段がユーザ情報を取得したとき、どの管理項目にユーザ情報を登録して管理するかを記入するための記入用紙を印刷するための画像を送信する画像出力手段と、前記画像出力手段により送信された画像により印刷されてどの管理項目にユーザ情報を登録して管理するかが記入された記入用紙から取得された画像を受信する画像入力手段を備え、前記情報管理手段は、前記画像入力手段により受信された画像に基づいて、各管理項目にユーザ情報を登録して管理することを特徴とする情報処理装置。
【請求項４】
ユーザ情報を管理する情報管理サーバからユーザ情報を取得する情報取得手段と、前記情報取得手段により取得されたユーザ情報を管理する情報管理手段を備える情報処理装置であって、
前記情報取得手段により取得されるユーザ情報の取得項目と前記情報管理手段により管理されるユーザ情報の管理項目との対応関係を入力するための入力画面で入力された前記取得項目と前記管理項目との対応関係の入力情報に基づいて、前記取得項目と前記管理項目との対応関係をカスタマイズするカスタマイズ手段を備えることを特徴とする情報処理装置。
【請求項５】
ユーザ情報を管理する情報管理サーバからユーザ情報を取得する情報取得手段と、前記情報取得手段により取得されたユーザ情報を管理する情報管理手段を備える情報処理装置であって、
前記情報取得手段により取得されるユーザ情報の取得項目と前記情報管理手段により管理されるユーザ情報の管理項目との対応関係を入力するための入力画面を送信する送信手段と、前記送信手段により送信された入力画面で入力された前記取得項目と前記管理項目との対応関係の入力情報を受信する受信手段と、前記受信手段により受信された入力情報に基づいて、前記取得項目と前記管理項目との対応関係をカスタマイズするカスタマイズ手段を備えることを特徴とする情報処理装置。
【請求項６】
ユーザ情報を管理する情報管理サーバからユーザ情報を取得する情報取得手段と、前記情報取得手段により取得されたユーザ情報を管理する情報管理手段を備える情報処理装置であって、
前記情報取得手段により取得されるユーザ情報の取得項目と前記情報管理手段により管理されるユーザ情報の管理項目との対応関係がカスタマイズされている場合において、前記情報取得手段がユーザ情報を取得したとき、どの管理項目にユーザ情報を登録して管理するかを入力するための入力画面を送信する送信手段と、前記送信手段により送信された入力画面で入力されたどの管理項目にユーザ情報を登録して管理するかの入力情報を受信する受信手段を備え、前記情報管理手段は、前記受信手段により受信された入力情報に基づいて、各管理項目にユーザ情報を登録して管理することを特徴とする情報処理装置。
【請求項７】
ユーザ情報を管理する情報管理サーバからユーザ情報を取得する情報取得手段と、前記情報取得手段により取得されたユーザ情報を管理する情報管理手段を備える情報処理装置であって、
前記情報取得手段により取得されるユーザ情報の取得項目と前記情報管理手段により管理されるユーザ情報の管理項目との対応関係を入力するための入力画面を表示するための表示手段と、前記表示手段により表示されている入力画面で前記取得項目と前記管理項目との対応関係を入力するための操作手段と、前記操作手段により入力された前記取得項目と前記管理項目との対応関係の入力情報に基づいて、前記取得項目と前記管理項目との対応関係をカスタマイズするカスタマイズ手段を備えることを特徴とする情報処理装置。
【請求項８】
ユーザ情報を管理する情報管理サーバからユーザ情報を取得する情報取得手段と、前記情報取得手段により取得されたユーザ情報を管理する情報管理手段を備える情報処理装置であって、
前記情報取得手段により取得されるユーザ情報の取得項目と前記情報管理手段により管理されるユーザ情報の管理項目との対応関係がカスタマイズされている場合において、前記情報取得手段がユーザ情報を取得したとき、どの管理項目にユーザ情報を登録して管理するかを入力するための入力画面を表示するための表示手段と、前記表示手段により表示されている入力画面でどの管理項目にユーザ情報を登録して管理するかを入力するための操作手段を備え、前記情報管理手段は、前記操作手段により入力されたどの管理項目にユーザ情報を登録して管理するかの入力情報に基づいて、各管理項目にユーザ情報を登録して管理することを特徴とする情報処理装置。
【請求項９】
前記入力画面は、Ｗｅｂ画面であることを特徴とする請求項４乃至８のいずれか１項に記載の情報処理装置。
【請求項１０】
前記情報管理サーバは、ＬＤＡＰサーバであることを特徴とする請求項１乃至８のいずれか１項に記載の情報処理装置。
【請求項１１】
ユーザ情報を管理する情報管理サーバからユーザ情報を取得する情報取得段階と、前記情報取得段階により取得されたユーザ情報を管理する情報管理段階を備える情報処理方法であって、
前記情報取得段階により取得されるユーザ情報の取得項目と前記情報管理段階により管理されるユーザ情報の管理項目との対応関係が記入された記入用紙から取得された画像に基づいて、前記取得項目と前記管理項目との対応関係をカスタマイズするカスタマイズ段階を備えることを特徴とする情報処理方法。
【請求項１２】
ユーザ情報を管理する情報管理サーバからユーザ情報を取得する情報取得段階と、前記情報取得段階により取得されたユーザ情報を管理する情報管理段階を備える情報処理方法であって、
前記情報取得段階により取得されるユーザ情報の取得項目と前記情報管理段階により管理されるユーザ情報の管理項目との対応関係を記入するための記入用紙を印刷するための画像を送信する画像出力段階と、前記画像出力段階により送信された画像により印刷されて前記取得項目と前記管理項目との対応関係が記入された記入用紙から取得された画像を受信する画像入力段階と、前記画像入力段階により受信された画像に基づいて、前記取得項目と前記管理項目との対応関係をカスタマイズするカスタマイズ段階を備えることを特徴とする情報処理方法。
【請求項１３】
ユーザ情報を管理する情報管理サーバからユーザ情報を取得する情報取得段階と、前記情報取得段階により取得されたユーザ情報を管理する情報管理段階を備える情報処理方法であって、
前記情報取得段階により取得されるユーザ情報の取得項目と前記情報管理段階により管理されるユーザ情報の管理項目との対応関係がカスタマイズされている場合において、前記情報取得段階がユーザ情報を取得したとき、どの管理項目にユーザ情報を登録して管理するかを記入するための記入用紙を印刷するための画像を送信する画像出力段階と、前記画像出力段階により送信された画像により印刷されてどの管理項目にユーザ情報を登録して管理するかが記入された記入用紙から取得された画像を受信する画像入力段階を備え、前記情報管理段階は、前記画像入力段階により受信された画像に基づいて、各管理項目にユーザ情報を登録して管理することを特徴とする情報処理方法。
【請求項１４】
ユーザ情報を管理する情報管理サーバからユーザ情報を取得する情報取得段階と、前記情報取得段階により取得されたユーザ情報を管理する情報管理段階を備える情報処理方法であって、
前記情報取得段階により取得されるユーザ情報の取得項目と前記情報管理段階により管理されるユーザ情報の管理項目との対応関係を入力するための入力画面で入力された前記取得項目と前記管理項目との対応関係の入力情報に基づいて、前記取得項目と前記管理項目との対応関係をカスタマイズするカスタマイズ段階を備えることを特徴とする情報処理方法。
【請求項１５】
ユーザ情報を管理する情報管理サーバからユーザ情報を取得する情報取得段階と、前記情報取得段階により取得されたユーザ情報を管理する情報管理段階を備える情報処理方法であって、
前記情報取得段階により取得されるユーザ情報の取得項目と前記情報管理段階により管理されるユーザ情報の管理項目との対応関係を入力するための入力画面を送信する送信段階と、前記送信段階により送信された入力画面で入力された前記取得項目と前記管理項目との対応関係の入力情報を受信する受信段階と、前記受信段階により受信された入力情報に基づいて、前記取得項目と前記管理項目との対応関係をカスタマイズするカスタマイズ段階を備えることを特徴とする情報処理方法。
【請求項１６】
ユーザ情報を管理する情報管理サーバからユーザ情報を取得する情報取得段階と、前記情報取得段階により取得されたユーザ情報を管理する情報管理段階を備える情報処理方法であって、
前記情報取得段階により取得されるユーザ情報の取得項目と前記情報管理段階により管理されるユーザ情報の管理項目との対応関係がカスタマイズされている場合において、前記情報取得段階がユーザ情報を取得したとき、どの管理項目にユーザ情報を登録して管理するかを入力するための入力画面を送信する送信段階と、前記送信段階により送信された入力画面で入力されたどの管理項目にユーザ情報を登録して管理するかの入力情報を受信する受信段階を備え、前記情報管理段階は、前記受信段階により受信された入力情報に基づいて、各管理項目にユーザ情報を登録して管理することを特徴とする情報処理方法。
【請求項１７】
ユーザ情報を管理する情報管理サーバからユーザ情報を取得する情報取得段階と、前記情報取得段階により取得されたユーザ情報を管理する情報管理段階を備える情報処理方法であって、
前記情報取得段階により取得されるユーザ情報の取得項目と前記情報管理段階により管理されるユーザ情報の管理項目との対応関係を入力するための入力画面を表示する表示段階と、前記表示段階により表示されている入力画面で入力された前記取得項目と前記管理項目との対応関係の入力情報に基づいて、前記取得項目と前記管理項目との対応関係をカスタマイズするカスタマイズ段階を備えることを特徴とする情報処理方法。
【請求項１８】
ユーザ情報を管理する情報管理サーバからユーザ情報を取得する情報取得段階と、前記情報取得段階により取得されたユーザ情報を管理する情報管理段階を備える情報処理方法であって、
前記情報取得段階により取得されるユーザ情報の取得項目と前記情報管理段階により管理されるユーザ情報の管理項目との対応関係がカスタマイズされている場合において、前記情報取得段階がユーザ情報を取得したとき、どの管理項目にユーザ情報を登録して管理するかを入力するための入力画面を表示する表示段階を備え、前記情報管理段階は、前記表示段階により表示されている入力画面で入力されたどの管理項目にユーザ情報を登録して管理するかの入力情報に基づいて、各管理項目にユーザ情報を登録して管理することを特徴とする情報処理方法。
【請求項１９】
前記入力画面は、Ｗｅｂ画面であることを特徴とする請求項１４乃至１８のいずれか１項に記載の情報処理方法。
【請求項２０】
前記情報管理サーバは、ＬＤＡＰサーバであることを特徴とする請求項１１乃至１８のいずれか１項に記載の情報処理方法。
【発明の詳細な説明】
【０００１】
【発明の属する技術分野】
本発明は、その主たる機能として情報処理機能を備える情報機器、その従たる機能として情報処理機能を備える電気機器等の、情報処理機能を備える情報処理装置及び情報処理方法に関する。
【０００２】
【従来の技術】
近年、様々な電気機器が情報処理機能を備えるようになった。例えば、ユーザが入力したアドレス帳等の情報を管理する携帯電話機や、ユーザが入力したチャンネル設定等の情報を管理する衛星放送受信機や、インターネットを介して取得したレシピ等の情報を管理する電子レンジ等が挙げられる。このような情報処理機能を実現するため、電気機器は演算装置や記憶装置や通信装置等を備えることになる。これはすなわち、電気機器の情報機器化であると言える。
【０００３】
【発明が解決しようとする課題】
情報機器や電気機器の機能の中には「ユーザ情報」が必要となる機能が存在する。例えば、携帯電話機がメーラや電話として機能する場合、メールアドレスや電話番号のような「ユーザ情報」が必要となる。情報機器や電気機器には、これらのユーザ情報を管理する機能が用意されていることがあるのだが、情報機器や電気機器にさらに、これらのユーザ情報を「情報管理サーバ」から取得する機能が用意されていると便利である。このような「情報管理サーバ」としては、社員情報、顧客情報、住民情報等の管理に利用されているＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）サーバ等が挙げられる。
【０００４】
ＬＤＡＰサーバでは、人間や組織は「オブジェクト」として観念される。個々のオブジェクトに関する情報は、個々のオブジェクトの「エントリ」により格納される。エントリには、オブジェクトの種類に関する情報である「オブジェクトクラス」や、オブジェクトの性質に関する情報である「属性」等が格納される。属性は、ｃ（国）ｏ（組織）ｏｕ（組織内単位）ｃｎ（姓名）ｓｎ（姓）ｇｉｖｅｎＮａｍｅ（名）ｔｅｌｅｐｈｏｎｅＮｕｍｂｅｒ（電話番号）ｍａｉｌ（メールアドレス）等の「属性型」と、ｃ：日本、ｏ：リコー、ｏｕ：研究開発部、ｃｎ：鈴木太郎、ｓｎ：鈴木、ｇｉｖｅｎＮａｍｅ：太郎等の「属性値」により構成される。各エントリはオブジェクトクラスにより階層化されているため、各エントリの識別名（ＤＮ）は、各エントリの１の属性（識別属性）に由来する各エントリの相対識別名（ＲＤＮ）を階層順に並べて構成される。
【０００５】
ＬＤＡＰクライアントとＬＤＡＰサーバの間では、様々な「要求」と「応答」が繰り返される。ＬＤＡＰでは、結合（ｂｉｎｄ）や結合解放（ｕｎｂｉｎｄ）等の認証系操作や、検索（ｓｅａｒｃｈ）や比較（ｃｏｍｐａｒｅ）等の問合せ系操作や、追加（ａｄｄ）や削除（ｄｅｌｅｔｅ）や変更（ｍｏｄｉｆｙ）等の更新系操作が用意されている。例えば、ＬＤＡＰクライアントからＬＤＡＰサーバに「検索操作」が要求されると、ＬＤＡＰサーバからＬＤＡＰクライアントに「検索結果」が応答される。
【０００６】
ところで、情報機器や電気機器がユーザ情報をＬＤＡＰサーバから取得する場合、ＬＤＡＰサーバから取得されるユーザ情報の取得項目と、情報機器や電気機器に管理されるユーザ情報の管理項目とを対応させる必要がある。ＬＤＡＰサーバに管理されているユーザ情報の管理項目（エントリに格納されている属性）と、情報機器や電気機器に管理されるユーザ情報の管理項目とが同じとは限らないからである。例えば、ＬＤＡＰサーバではメールアドレスは「ｍａｉｌ」という管理項目（属性）に管理されるが、情報機器や電気機器ではメールアドレスは「メールアドレス」という管理項目に管理されたりする。そのため、ＬＤＡＰサーバから取得されるユーザ情報の取得項目と、情報機器や電気機器に管理されるユーザ情報の管理項目との対応関係をカスタマイズしておくと便利である。
【０００７】
さらには、情報機器や電気機器がユーザ情報をＬＤＡＰサーバから取得した場合、どの管理項目にユーザ情報を登録して管理することにするかを取捨選択する必要がある。例えば、情報機器や電気機器が「ｍａｉｌ」と「ｔｅｌｅｐｈｏｎｅＮｕｍｂｅｒ」をＬＤＡＰサーバから取得した場合、管理項目「メールアドレス」と管理項目「電話番号」の片方だけにユーザ情報を登録することもあれば、管理項目「メールアドレス」と管理項目「電話番号」の両方ともにユーザ情報を登録することもあるからである。
【０００８】
したがって、本発明は第１に、ＬＤＡＰサーバ等の情報管理サーバからユーザ情報を取得して管理する情報処理装置に関して、情報管理サーバから取得されるユーザ情報の取得項目と、情報処理装置に管理されるユーザ情報の管理項目との対応関係をカスタマイズする手法を提案することを課題とする。
【０００９】
したがって、本発明は第２に、ＬＤＡＰサーバ等の情報管理サーバからユーザ情報を取得して管理する情報処理装置に関して、情報管理サーバからユーザ情報を取得したとき、どの管理項目にユーザ情報を登録して管理することにするかを取捨選択する手法を提案することを課題とする。
【００１０】
【課題を解決するための手段】
請求項１に記載の発明（情報処理装置）は、ユーザ情報を管理する情報管理サーバからユーザ情報を取得する情報取得手段と、前記情報取得手段により取得されたユーザ情報を管理する情報管理手段を備える情報処理装置であって、前記情報取得手段により取得されるユーザ情報の取得項目と前記情報管理手段により管理されるユーザ情報の管理項目との対応関係が記入された記入用紙から取得された画像に基づいて、前記取得項目と前記管理項目との対応関係をカスタマイズするカスタマイズ手段を備える。
【００１１】
請求項２に記載の発明（情報処理装置）は、ユーザ情報を管理する情報管理サーバからユーザ情報を取得する情報取得手段と、前記情報取得手段により取得されたユーザ情報を管理する情報管理手段を備える情報処理装置であって、前記情報取得手段により取得されるユーザ情報の取得項目と前記情報管理手段により管理されるユーザ情報の管理項目との対応関係を記入するための記入用紙を印刷するための画像を送信する画像出力手段と、前記画像出力手段により送信された画像により印刷されて前記取得項目と前記管理項目との対応関係が記入された記入用紙から取得された画像を受信する画像入力手段と、前記画像入力手段により受信された画像に基づいて、前記取得項目と前記管理項目との対応関係をカスタマイズするカスタマイズ手段を備える。
【００１２】
請求項３に記載の発明（情報処理装置）は、ユーザ情報を管理する情報管理サーバからユーザ情報を取得する情報取得手段と、前記情報取得手段により取得されたユーザ情報を管理する情報管理手段を備える情報処理装置であって、前記情報取得手段により取得されるユーザ情報の取得項目と前記情報管理手段により管理されるユーザ情報の管理項目との対応関係がカスタマイズされている場合において、前記情報取得手段がユーザ情報を取得したとき、どの管理項目にユーザ情報を登録して管理するかを記入するための記入用紙を印刷するための画像を送信する画像出力手段と、前記画像出力手段により送信された画像により印刷されてどの管理項目にユーザ情報を登録して管理するかが記入された記入用紙から取得された画像を受信する画像入力手段を備え、前記情報管理手段は、前記画像入力手段により受信された画像に基づいて、各管理項目にユーザ情報を登録して管理する。
【００１３】
請求項４に記載の発明（情報処理装置）は、ユーザ情報を管理する情報管理サーバからユーザ情報を取得する情報取得手段と、前記情報取得手段により取得されたユーザ情報を管理する情報管理手段を備える情報処理装置であって、前記情報取得手段により取得されるユーザ情報の取得項目と前記情報管理手段により管理されるユーザ情報の管理項目との対応関係を入力するための入力画面で入力された前記取得項目と前記管理項目との対応関係の入力情報に基づいて、前記取得項目と前記管理項目との対応関係をカスタマイズするカスタマイズ手段を備える。
【００１４】
請求項５に記載の発明（情報処理装置）は、ユーザ情報を管理する情報管理サーバからユーザ情報を取得する情報取得手段と、前記情報取得手段により取得されたユーザ情報を管理する情報管理手段を備える情報処理装置であって、前記情報取得手段により取得されるユーザ情報の取得項目と前記情報管理手段により管理されるユーザ情報の管理項目との対応関係を入力するための入力画面を送信する送信手段と、前記送信手段により送信された入力画面で入力された前記取得項目と前記管理項目との対応関係の入力情報を受信する受信手段と、前記受信手段により受信された入力情報に基づいて、前記取得項目と前記管理項目との対応関係をカスタマイズするカスタマイズ手段を備える。
【００１５】
請求項６に記載の発明（情報処理装置）は、ユーザ情報を管理する情報管理サーバからユーザ情報を取得する情報取得手段と、前記情報取得手段により取得されたユーザ情報を管理する情報管理手段を備える情報処理装置であって、前記情報取得手段により取得されるユーザ情報の取得項目と前記情報管理手段により管理されるユーザ情報の管理項目との対応関係がカスタマイズされている場合において、前記情報取得手段がユーザ情報を取得したとき、どの管理項目にユーザ情報を登録して管理するかを入力するための入力画面を送信する送信手段と、前記送信手段により送信された入力画面で入力されたどの管理項目にユーザ情報を登録して管理するかの入力情報を受信する受信手段を備え、前記情報管理手段は、前記受信手段により受信された入力情報に基づいて、各管理項目にユーザ情報を登録して管理する。
【００１６】
請求項７に記載の発明（情報処理装置）は、ユーザ情報を管理する情報管理サーバからユーザ情報を取得する情報取得手段と、前記情報取得手段により取得されたユーザ情報を管理する情報管理手段を備える情報処理装置であって、前記情報取得手段により取得されるユーザ情報の取得項目と前記情報管理手段により管理されるユーザ情報の管理項目との対応関係を入力するための入力画面を表示するための表示手段と、前記表示手段により表示されている入力画面で前記取得項目と前記管理項目との対応関係を入力するための操作手段と、前記操作手段により入力された前記取得項目と前記管理項目との対応関係の入力情報に基づいて、前記取得項目と前記管理項目との対応関係をカスタマイズするカスタマイズ手段を備える。
【００１７】
請求項８に記載の発明（情報処理装置）は、ユーザ情報を管理する情報管理サーバからユーザ情報を取得する情報取得手段と、前記情報取得手段により取得されたユーザ情報を管理する情報管理手段を備える情報処理装置であって、前記情報取得手段により取得されるユーザ情報の取得項目と前記情報管理手段により管理されるユーザ情報の管理項目との対応関係がカスタマイズされている場合において、前記情報取得手段がユーザ情報を取得したとき、どの管理項目にユーザ情報を登録して管理するかを入力するための入力画面を表示するための表示手段と、前記表示手段により表示されている入力画面でどの管理項目にユーザ情報を登録して管理するかを入力するための操作手段を備え、前記情報管理手段は、前記操作手段により入力されたどの管理項目にユーザ情報を登録して管理するかの入力情報に基づいて、各管理項目にユーザ情報を登録して管理する。
【００１８】
請求項９に記載の発明（情報処理装置）は、請求項４乃至８のいずれか１項に記載の発明（情報処理装置）に関して、前記入力画面は、Ｗｅｂ画面である。
【００１９】
請求項１０に記載の発明（情報処理装置）は、請求項１乃至８のいずれか１項に記載の発明（情報処理装置）に関して、前記情報管理サーバは、ＬＤＡＰサーバである。
【００２０】
請求項１１に記載の発明（情報処理方法）は、ユーザ情報を管理する情報管理サーバからユーザ情報を取得する情報取得段階と、前記情報取得段階により取得されたユーザ情報を管理する情報管理段階を備える情報処理方法であって、前記情報取得段階により取得されるユーザ情報の取得項目と前記情報管理段階により管理されるユーザ情報の管理項目との対応関係が記入された記入用紙から取得された画像に基づいて、前記取得項目と前記管理項目との対応関係をカスタマイズするカスタマイズ段階を備える。
【００２１】
請求項１２に記載の発明（情報処理方法）は、ユーザ情報を管理する情報管理サーバからユーザ情報を取得する情報取得段階と、前記情報取得段階により取得されたユーザ情報を管理する情報管理段階を備える情報処理方法であって、前記情報取得段階により取得されるユーザ情報の取得項目と前記情報管理段階により管理されるユーザ情報の管理項目との対応関係を記入するための記入用紙を印刷するための画像を送信する画像出力段階と、前記画像出力段階により送信された画像により印刷されて前記取得項目と前記管理項目との対応関係が記入された記入用紙から取得された画像を受信する画像入力段階と、前記画像入力段階により受信された画像に基づいて、前記取得項目と前記管理項目との対応関係をカスタマイズするカスタマイズ段階を備える。
【００２２】
請求項１３に記載の発明（情報処理方法）は、ユーザ情報を管理する情報管理サーバからユーザ情報を取得する情報取得段階と、前記情報取得段階により取得されたユーザ情報を管理する情報管理段階を備える情報処理方法であって、前記情報取得段階により取得されるユーザ情報の取得項目と前記情報管理段階により管理されるユーザ情報の管理項目との対応関係がカスタマイズされている場合において、前記情報取得段階がユーザ情報を取得したとき、どの管理項目にユーザ情報を登録して管理するかを記入するための記入用紙を印刷するための画像を送信する画像出力段階と、前記画像出力段階により送信された画像により印刷されてどの管理項目にユーザ情報を登録して管理するかが記入された記入用紙から取得された画像を受信する画像入力段階を備え、前記情報管理段階は、前記画像入力段階により受信された画像に基づいて、各管理項目にユーザ情報を登録して管理する。
【００２３】
請求項１４に記載の発明（情報処理方法）は、ユーザ情報を管理する情報管理サーバからユーザ情報を取得する情報取得段階と、前記情報取得段階により取得されたユーザ情報を管理する情報管理段階を備える情報処理方法であって、前記情報取得段階により取得されるユーザ情報の取得項目と前記情報管理段階により管理されるユーザ情報の管理項目との対応関係を入力するための入力画面で入力された前記取得項目と前記管理項目との対応関係の入力情報に基づいて、前記取得項目と前記管理項目との対応関係をカスタマイズするカスタマイズ段階を備える。
【００２４】
請求項１５に記載の発明（情報処理方法）は、ユーザ情報を管理する情報管理サーバからユーザ情報を取得する情報取得段階と、前記情報取得段階により取得されたユーザ情報を管理する情報管理段階を備える情報処理方法であって、前記情報取得段階により取得されるユーザ情報の取得項目と前記情報管理段階により管理されるユーザ情報の管理項目との対応関係を入力するための入力画面を送信する送信段階と、前記送信段階により送信された入力画面で入力された前記取得項目と前記管理項目との対応関係の入力情報を受信する受信段階と、前記受信段階により受信された入力情報に基づいて、前記取得項目と前記管理項目との対応関係をカスタマイズするカスタマイズ段階を備える。
【００２５】
請求項１６に記載の発明（情報処理方法）は、ユーザ情報を管理する情報管理サーバからユーザ情報を取得する情報取得段階と、前記情報取得段階により取得されたユーザ情報を管理する情報管理段階を備える情報処理方法であって、前記情報取得段階により取得されるユーザ情報の取得項目と前記情報管理段階により管理されるユーザ情報の管理項目との対応関係がカスタマイズされている場合において、前記情報取得段階がユーザ情報を取得したとき、どの管理項目にユーザ情報を登録して管理するかを入力するための入力画面を送信する送信段階と、前記送信段階により送信された入力画面で入力されたどの管理項目にユーザ情報を登録して管理するかの入力情報を受信する受信段階を備え、前記情報管理段階は、前記受信段階により受信された入力情報に基づいて、各管理項目にユーザ情報を登録して管理する。
【００２６】
請求項１７に記載の発明（情報処理方法）は、ユーザ情報を管理する情報管理サーバからユーザ情報を取得する情報取得段階と、前記情報取得段階により取得されたユーザ情報を管理する情報管理段階を備える情報処理方法であって、前記情報取得段階により取得されるユーザ情報の取得項目と前記情報管理段階により管理されるユーザ情報の管理項目との対応関係を入力するための入力画面を表示する表示段階と、前記表示段階により表示されている入力画面で入力された前記取得項目と前記管理項目との対応関係の入力情報に基づいて、前記取得項目と前記管理項目との対応関係をカスタマイズするカスタマイズ段階を備える。
【００２７】
請求項１８に記載の発明（情報処理方法）は、ユーザ情報を管理する情報管理サーバからユーザ情報を取得する情報取得段階と、前記情報取得段階により取得されたユーザ情報を管理する情報管理段階を備える情報処理方法であって、前記情報取得段階により取得されるユーザ情報の取得項目と前記情報管理段階により管理されるユーザ情報の管理項目との対応関係がカスタマイズされている場合において、前記情報取得段階がユーザ情報を取得したとき、どの管理項目にユーザ情報を登録して管理するかを入力するための入力画面を表示する表示段階を備え、前記情報管理段階は、前記表示段階により表示されている入力画面で入力されたどの管理項目にユーザ情報を登録して管理するかの入力情報に基づいて、各管理項目にユーザ情報を登録して管理する。
【００２８】
請求項１９に記載の発明（情報処理方法）は、請求項１４乃至１８のいずれか１項に記載の発明（情報処理方法）に関して、前記入力画面は、Ｗｅｂ画面である。
【００２９】
請求項２０に記載の発明（情報処理方法）は、請求項１１乃至１８のいずれか１項に記載の発明（情報処理方法）に関して、前記情報管理サーバは、ＬＤＡＰサーバである。
【００３０】
請求項１、２、４、５、又は７に記載の発明（情報処理装置）は、ＬＤＡＰサーバ等の情報管理サーバからユーザ情報を取得して管理する情報処理装置に関して、情報管理サーバから取得されるユーザ情報の取得項目と、情報処理装置に管理されるユーザ情報の管理項目との対応関係を比較的簡単にカスタマイズすることを可能にする。
【００３１】
請求項３、６、又は８に記載の発明（情報処理装置）は、ＬＤＡＰサーバ等の情報管理サーバからユーザ情報を取得して管理する情報処理装置に関して、情報管理サーバからユーザ情報を取得したとき、どの管理項目にユーザ情報を登録して管理することにするかを比較的簡単に取捨選択することを可能にする。
【００３２】
請求項１１、１２、１４、１５、又は１７に記載の発明（情報処理方法）は、ＬＤＡＰサーバ等の情報管理サーバからユーザ情報を取得して管理する情報処理方法に関して、情報管理サーバから取得されるユーザ情報の取得項目と、情報処理方法に管理されるユーザ情報の管理項目との対応関係を比較的簡単にカスタマイズすることを可能にする。
【００３３】
請求項１３、１６、又は１８に記載の発明（情報処理方法）は、ＬＤＡＰサーバ等の情報管理サーバからユーザ情報を取得して管理する情報処理方法に関して、情報管理サーバからユーザ情報を取得したとき、どの管理項目にユーザ情報を登録して管理することにするかを比較的簡単に取捨選択することを可能にする。
【００３４】
【発明の実施の形態】
本発明の実施の形態について説明する。
【００３５】
図１は、本発明の実施の形態の例であるパソコン（パーソナルコンピュータ）１０１を表す。図１のパソコン１０１は、パソコン本体１１１と、ディスプレイ１１２と、キーボード１１３と、マウス１１４により構成される。ディスプレイ１１２は、パソコン本体１１１がユーザに出力を行うためのハードウェア（表示部）である。キーボード１１３とマウス１１４は、ユーザがパソコン本体１１１に入力を行うためのハードウェア（操作部）である。
【００３６】
図２は、パソコン本体１１１のハードウェア構成を表す。パソコン本体１１１は、ＣＰＵ（セントラルプロセシングユニット）２０１と、ＲＯＭ（リードオンリメモリ）２０２と、ＲＡＭ（ランダムアクセスメモリ）２０３と、ＨＤＤ（ハードディスクドライブ）２０４と、ＭＯＤＥＭ（モデム）２０５により構成される。ＣＰＵ２０１はパソコン本体１１１の演算部、ＲＯＭ２０２とＲＡＭ２０３とＨＤＤ２０４はパソコン本体１１１の記憶部、ＭＯＤＥＭ２０５はパソコン本体１１１の通信部に該当するハードウェアである。
【００３７】
図３は、パソコン本体１１１のソフトウェア構成を表す。パソコン本体１１１のＨＤＤ２０４には、ＯＳ（オペレーティングシステム）３０１と、メール関係のアプリケーションであるメールソフト３０２と、ネットワーク関係のアプリケーションであるネットワークソフト３０３と、ユーザ情報管理用のプラットフォームであるユーザ情報管理ソフト３０４と、スキャナドライバ３０５と、プリンタドライバ３０６がインストールされている。ＯＳ３０１は、ここではＵＮＩＸ（登録商標）である。ネットワークソフト３０３は、ＨＴＭＬ文書等を配信するためのＷｅｂサーバソフト、ＨＴＭＬ文書等を閲覧するためのＷｅｂブラウザ等により構成される。
【００３８】
（ユーザ情報）
図１のパソコン１０１におけるユーザ情報の管理について説明する。
【００３９】
図１のパソコン１０１においては、ユーザ情報は、ユーザ情報管理ソフト３０４（図３参照）によりＨＤＤ２０４（図２参照）に蓄積されて管理されて、メールソフト３０２（図３参照）等により利用される。パソコン１０１がメーラとして機能する場合、メールアドレスのようなユーザ情報が必要となるからである。パソコン１０１は、ユーザ情報管理ソフト３０４によりＨＤＤ２０４に蓄積されて管理されているユーザ情報を利用して、メールをネットワーク等を介して他の機器に送信する等の情報処理を実行することができる。
【００４０】
図１のパソコン１０１においては、ユーザ情報は、ユーザ情報管理ソフト３０４により図５のようなアドレス帳５０１にて管理される。すなわち、ユーザ（エントリ）はユーザＩＤ（エントリＩＤ）を基にして管理されると共に、ユーザ情報は「名前」「表示名」「よみがな」「メールアドレス」「電話番号」等の管理項目の項目値として管理される。各ユーザのユーザ情報のデータ構造は、図６のようなツリー構造６０１となる。すなわち、管理項目「名前」「表示名」が親項目となり、管理項目「メールアドレス」「電話番号」等が子項目となる。
【００４１】
図１のパソコン１０１は、ユーザ情報をネットワーク等を介してＬＤＡＰサーバから取得して管理することができる。パソコン１０１は、ここでは図７のように、３台のＬＤＡＰサーバ７０１（ＬＤＡＰサーバＡ・Ｂ・Ｃ）とＬＡＮ７１１で接続されており、３台のＬＤＡＰサーバ７０１（ＬＤＡＰサーバＡ・Ｂ・Ｃ）からＬＡＮ７１１を介してユーザ情報を取得して管理することができる。
【００４２】
図７と図８のシステム図とフロー図により具体的に説明する。メールソフト３０２は、図４のようなメール画面４０１をディスプレイ１１２に表示する。この画面を介して、ユーザ情報をＬＤＡＰサーバ７０１から取得（検索）する旨の操作が入力されると、メールソフト３０２からユーザ情報管理ソフト３０４にサーバ情報の取得要求が送信（Ｓ１）されて、これに応じてユーザ情報管理ソフト３０４からメールソフト３０２にサーバ情報が提供（Ｓ２）される。
【００４３】
サーバ情報は、パソコン１０１と接続されているＬＤＡＰサーバ７０１に関する情報であり、ユーザ情報管理ソフト３０４によりＨＤＤ２０４に蓄積されて管理される。サーバ情報の管理項目は「サーバ名」「ポート番号」「ＩＰアドレス」等である。サーバ情報は、図９のようなシステム初期設定画面９０１とＬＤＡＰサーバ登録／変更画面９０２で登録・変更することができる。具体的に言うと、システム初期設定画面９０１で「ＬＤＡＰサーバ登録／変更ボタン」がマウス１１４でクリックされると、ＬＤＡＰサーバ登録／変更画面９０２に画面が移り、ＬＤＡＰサーバ登録／変更画面９０２でサーバ情報が入力されて「設定ボタン」がマウス１１４でクリックされると、システム初期設定画面９０１に画面が戻り、サーバ情報が登録・変更される。なお、これらの画面は、ユーザ情報管理ソフト３０４によりディスプレイ１１２に表示される。
【００４４】
続いて、サーバ情報に基づいて所望のユーザ情報を所望のＬＤＡＰサーバ７０１から取得（検索）する旨の操作が入力されると、メールソフト３０２からユーザ情報管理ソフト３０４にユーザ情報の検索要求が送信（Ｓ３）されて、これに応じてユーザ情報管理ソフト３０４からＬＤＡＰサーバ７０１に検索操作が要求（Ｓ４）されて、これに応じてＬＤＡＰサーバ７０１からユーザ情報管理ソフト３０４に検索結果が応答（Ｓ５）されて、これに応じてユーザ情報管理ソフト３０４からメールソフト３０２にユーザ情報の検索終了通知が送信（Ｓ６）される。
【００４５】
続いて、メールソフト３０２からユーザ情報管理ソフト３０４にユーザ情報の取得要求が送信（Ｓ７）されて、これに応じてユーザ情報管理ソフト３０４からメールソフト３０２にユーザ情報が提供（Ｓ８）される。
【００４６】
この様子を図１０の画面変化図により説明する。画面Ａは、図４のメール画面４０１である。画面Ａで「ルーペボタン１００１」がマウス１１４でクリックされると、画面Ｂに画面が移る。画面Ｂで「ＬＤＡＰ検索ボタン１００２」がマウス１１４でクリックされると、画面Ｃに画面が移る。画面Ｃで「ＬＤＡＰサーバ選択ボタン１０１１」がマウス１１４でクリックされると、画面Ｄに画面が移り、画面Ｃで「ＬＤＡＰ検索条件入力ボタン１０１２」がマウス１１４でクリックされると、画面Ｅに画面が移る。画面ＤでＬＤＡＰサーバが選択されて「ＯＫボタン１０２１」がマウス１１４でクリックされると、画面Ｃに画面が戻り、画面ＥでＬＤＡＰ検索条件が入力されて「ＯＫボタン１０２２」がマウス１１４でクリックされると、画面Ｆに画面が移り、やがてユーザ情報が表示されることになる。
【００４７】
なお、画面Ｂで「ＬＤＡＰ検索ボタン１００２」をマウス１１４でクリックする操作が、ユーザ情報をＬＤＡＰサーバ７０１から取得（検索）する旨の操作に相当して、画面ＤでＬＤＡＰサーバを選択して「ＯＫボタン１０２１」をマウス１１４でクリックする操作と、画面ＥでＬＤＡＰ検索条件を入力して「ＯＫボタン１０２２」をマウス１１４でクリックする操作が、所望のユーザ情報を所望のＬＤＡＰサーバ７０１から取得（検索）する旨の操作に相当する。
【００４８】
図１１は、ＬＤＡＰサーバ７０１からユーザ情報管理ソフト３０４に応答（Ｓ５）された検索結果、すなわち、ＬＤＡＰサーバ７０１から取得されたユーザ情報を表す。ユーザ情報の取得項目は「ｃｎ」「ｓｎ」「ｇｉｖｅｎＮａｍｅ」「ｍａｉｌ」「ｔｅｌｅｐｈｏｎｅＮｕｍｂｅｒ」等である。ＬＤＡＰサーバ７０１においては、ユーザ情報は「ｃｎ」「ｓｎ」「ｇｉｖｅｎＮａｍｅ」「ｍａｉｌ」「ｔｅｌｅｐｈｏｎｅＮｕｍｂｅｒ」等の管理項目（属性）の項目値（属性値）として管理されているからである。正確に言うと、ＬＤＡＰサーバ７０１においては、日本語等のＡＳＣＩＩ文字以外の文字はＢａｓｅ６４形式で符号化された上で記述されるが、図１１では便宜上省略した。
【００４９】
ところで、パソコン１０１がユーザ情報をＬＤＡＰサーバ７０１から取得する場合、ＬＤＡＰサーバ７０１から取得されるユーザ情報の取得項目と、パソコン１０１に管理されるユーザ情報の管理項目とを対応させる必要がある。ＬＤＡＰサーバ７０１に管理されているユーザ情報の管理項目と、パソコン１０１に管理されるユーザ情報の管理項目とが同じとは限らないからである。例えば、ＬＤＡＰサーバ７０１ではメールアドレスは「ｍａｉｌ」という管理項目（図１１参照）に管理されるが、パソコン１０１ではメールアドレスは「メールアドレス」という管理項目（図５・図６参照）に管理される。そのため、ＬＤＡＰサーバ７０１から取得されるユーザ情報の取得項目と、パソコン１０１に管理されるユーザ情報の管理項目との対応関係をカスタマイズしておくと便利である。これについては、第１・第２・第３実施例で取り扱う。
【００５０】
さらには、パソコン１０１がユーザ情報をＬＤＡＰサーバ７０１から取得した場合、どの管理項目にユーザ情報を登録して管理することにするかを取捨選択する必要がある。例えば、パソコン１０１が「ｍａｉｌ」と「ｔｅｌｅｐｈｏｎｅＮｕｍｂｅｒ」をＬＤＡＰサーバ７０１から取得した場合、管理項目「メールアドレス」と管理項目「電話番号」の片方だけにユーザ情報を登録することもあれば、管理項目「メールアドレス」と管理項目「電話番号」の両方ともにユーザ情報を登録することもあるからである。これについては、第４・第５・第６実施例で取り扱う。
【００５１】
（第１実施例）
図１のパソコン１０１に係る第１実施例について、図１２と図１３のシステム図とフロー図により説明する。
【００５２】
第１実施例では、図９のＬＤＡＰサーバ登録／変更画面９０２で「属性カスタマイズボタン９０３」がマウス１１４でクリックされると、ユーザ情報管理ソフト３０４は、属性カスタマイズを開始（Ｓ１１）する。すると、代表ユーザのユーザ情報をＬＤＡＰサーバ７０１から取得（検索）すべく、ユーザ情報管理ソフト３０４からＬＤＡＰサーバ７０１に検索操作が要求（Ｓ１２）されて、これに応じてＬＤＡＰサーバ７０１からユーザ情報管理ソフト３０４に検索結果が応答（Ｓ１３）される。さらに、代表ユーザのユーザ情報に基づいて図１４のような記入用紙１４０１を印刷すべく、ユーザ情報管理ソフト３０４からプリンタドライバ３０６（図３参照）に記入用紙１４０１の印刷要求が送信（Ｓ１４）されて、ＭＯＤＥＭ２０５（図２参照）を送信部として、プリンタドライバ３０６により記入用紙１４０１を印刷するための画像がプリンタ１２０２に送信されて、プリンタ１２０２により記入用紙１４０１が印刷される。
【００５３】
図１４の記入用紙１４０１は、ＬＤＡＰサーバ７０１から取得されるユーザ情報の取得項目（取得属性）と、パソコン１０１に管理されるユーザ情報の管理項目（図５のアドレス帳５０１の管理項目）との対応関係を記入するための記入用紙である。例えば、取得項目「ｍａｉｌ」と管理項目「メールアドレス」とを対応させる場合には、図１４のように、両項目の交点の四角形を鉛筆等で塗りつぶすのである。縦に複数個の四角形が塗りつぶされた場合には、例えば、一番上や一番下の四角形が塗りつぶされたものとして取り扱う。第１実施例では、記入用紙１４０１に記入された取得項目と管理項目との対応関係の記入情報に基づいて、取得項目と管理項目との対応関係がカスタマイズされることになる。なお、代表ユーザのユーザ情報は、取得項目の意味付けを説明する役割を担っている。
【００５４】
図１４の記入用紙１４０１を印刷するための画像（画像データ）は、ＨＤＤ２０４に蓄積させておくものとする。
【００５５】
続いて、プリンタ１２０２により印刷された記入用紙１４０１に取得項目と管理項目との対応関係が記入されて、スキャナ１２０１によりその記入用紙１４０１から画像が取得されて、ＭＯＤＥＭ２０５を受信部として、スキャナドライバ３０５（図３参照）によりその画像がスキャナ１２０１から受信されると、スキャナドライバ３０５からユーザ情報管理ソフト３０４にその画像が提供（Ｓ１５）される。なお、スキャナ１２０１から受信された画像が「記入用紙１４０１から取得された画像」であることをパソコン１０１に認識させる必要があるが、例えば、その画像が「記入用紙１４０１から取得された画像」である旨の操作が入力されると、その画像が「記入用紙１４０１から取得された画像」であることがユーザ情報管理ソフト３０４により認識されるようにする。
【００５６】
続いて、ユーザ情報管理ソフト３０４は、その画像に基づいて、取得項目と管理項目との対応関係をカスタマイズ（Ｓ１６）する。具体的に言うと、ユーザ情報管理ソフト３０４は、その画像について画像処理を実行することにより、記入用紙１４０１に記入された取得項目と管理項目との対応関係の記入情報を検出して、その記入情報に基づいて、取得項目と管理項目との対応関係をカスタマイズする。画像処理はここでは擬似ＯＭＲ処理であり、マークシートと同様にして、四角形が鉛筆等で塗りつぶされているか否かを、白か黒かの閾値処理により検出する。なお、カスタマイズ情報は、ユーザ情報管理ソフト３０４により図１５のような対応表１５０１にてＨＤＤ２０４に蓄積されて管理される。
【００５７】
このように、第１実施例では、図１４のような記入用紙１４０１により、ＬＤＡＰサーバ７０１から取得されるユーザ情報の取得項目と、パソコン１０１に管理されるユーザ情報の管理項目との対応関係を比較的簡単にカスタマイズすることができる。
【００５８】
（第２実施例）
図１のパソコン１０１に係る第２実施例について、図１６と図１７のシステム図とフロー図により説明する。
【００５９】
第２実施例では、図９のＬＤＡＰサーバ登録／変更画面９０２で「属性カスタマイズボタン９０３」がマウス１１４でクリックされると、ユーザ情報管理ソフト３０４は、属性カスタマイズを開始（Ｓ２１）する。すると、代表ユーザのユーザ情報をＬＤＡＰサーバ７０１から取得（検索）すべく、ユーザ情報管理ソフト３０４からＬＤＡＰサーバ７０１に検索操作が要求（Ｓ２２）されて、これに応じてＬＤＡＰサーバ７０１からユーザ情報管理ソフト３０４に検索結果が応答（Ｓ２３）される。さらに、代表ユーザのユーザ情報に基づいて図１８のような入力画面１８０１を送信すべく、ユーザ情報管理ソフト３０４からネットワークソフト３０３（図３参照）にメールの送信要求が送信（Ｓ２４）されて、ＭＯＤＥＭ２０５を送信部として、ネットワークソフト３０３によりメールがネットワーク等を介して他の機器に送信される。ここでは、ＬＡＮ７１１を介してＬＡＮ７１１に接続されているパソコン１６０１（パソコン１０１以外のパソコン）に送信される。
【００６０】
図１８の入力画面１８０１は、ＬＤＡＰサーバ７０１から取得されるユーザ情報の取得項目（取得属性）と、パソコン１０１に管理されるユーザ情報の管理項目（図５のアドレス帳５０１の管理項目）との対応関係を入力するための入力画面である。例えば、取得項目「ｍａｉｌ」と管理項目「メールアドレス」とを対応させる場合には、図１８のように、両項目の交点の四角形をマウスでクリックする等してチェックするのである。第２実施例では、入力画面１８０１で入力された取得項目と管理項目との対応関係の入力情報に基づいて、取得項目と管理項目との対応関係がカスタマイズされることになる。なお、代表ユーザのユーザ情報は、取得項目の意味付けを説明する役割を担っている。
【００６１】
図１８の入力画面１８０１は、ここではＷｅｂ画面であるとする。入力画面１８０１を表示するためのＨＴＭＬ文書（ＨＴＭＬ文書データ）は、ＨＤＤ２０４に蓄積させておくものとする。上記のメールは、ここではＨＴＭＬメールであるとする。上記のメールには、入力画面１８０１を表示するためのＨＴＭＬ文書のＵＲＬが記載されるものとする。なお、図１によりすでに説明したように、ネットワークソフト３０３は、ＨＴＭＬ文書等を配信するためのＷｅｂサーバソフト、ＨＴＭＬ文書等を閲覧するためのＷｅｂブラウザ等により構成されている。
【００６２】
パソコン１６０１にて、パソコン１０１から送信されたメールを開くと、入力画面１８０１を表示するためのＨＴＭＬ文書のＵＲＬが記載されている。その入力画面１８０１を表示すべく、そのＵＲＬを利用してそのＨＴＭＬ文書を閲覧しようとすると、パソコン１０１にそのＨＴＭＬ文書の配信要求が送信される。
【００６３】
パソコン１０１にて、ＭＯＤＥＭ２０５を受信部として、ネットワークソフト３０３を構成するＷｅｂサーバソフトにより入力画面１８０１を表示するためのＨＴＭＬ文書の配信要求がパソコン１６０１から受信されると、ＭＯＤＥＭ２０５を送信部として、ネットワークソフト３０３を構成するＷｅｂサーバソフトによりその入力画面１８０１がＨＴＭＬ文書の形でパソコン１６０１に送信（配信）される。
【００６４】
パソコン１６０１にて、パソコン１０１からＨＴＭＬ文書の形で送信（配信）された入力画面１８０１で取得項目と管理項目との対応関係を入力して、入力情報送信ボタン１８０２をクリックすると、パソコン１０１にその入力画面１８０１で入力された取得項目と管理項目との対応関係の入力情報が送信される。
【００６５】
パソコン１０１にて、ＭＯＤＥＭ２０５を受信部として、ネットワークソフト３０３を構成するＷｅｂサーバソフトによりその入力情報がパソコン１６０１から受信されると、ネットワークソフト３０３からユーザ情報管理ソフト３０４にその入力情報が提供（Ｓ２５）される。
【００６６】
続いて、ユーザ情報管理ソフト３０４は、その入力情報に基づいて、取得項目と管理項目との対応関係をカスタマイズ（Ｓ２６）する。なお、カスタマイズ情報は、ユーザ情報管理ソフト３０４により図１５のような対応表１５０１にてＨＤＤ２０４に蓄積されて管理される。
【００６７】
このように、第２実施例では、図１８のような入力画面１８０１により、ＬＤＡＰサーバ７０１から取得されるユーザ情報の取得項目と、パソコン１０１に管理されるユーザ情報の管理項目との対応関係を比較的簡単にカスタマイズすることができる。
【００６８】
（第３実施例）
図１のパソコン１０１に係る第３実施例について、図１９と図２０のシステム図とフロー図により説明する。
【００６９】
第３実施例では、図９のＬＤＡＰサーバ登録／変更画面９０２で「属性カスタマイズボタン９０３」がマウス１１４でクリックされると、ユーザ情報管理ソフト３０４は、属性カスタマイズを開始（Ｓ３１）する。すると、代表ユーザのユーザ情報をＬＤＡＰサーバ７０１から取得（検索）すべく、ユーザ情報管理ソフト３０４からＬＤＡＰサーバ７０１に検索操作が要求（Ｓ３２）されて、これに応じてＬＤＡＰサーバ７０１からユーザ情報管理ソフト３０４に検索結果が応答（Ｓ３３）される。さらに、代表ユーザのユーザ情報に基づいて図１８のような入力画面１８０１を表示すべく、ユーザ情報管理ソフト３０４からネットワークソフト３０３に入力画面１８０１の表示要求が送信（Ｓ３４）されて、ディスプレイ１１２により入力画面１８０１が表示される。
【００７０】
図１８の入力画面１８０１は、ＬＤＡＰサーバ７０１から取得されるユーザ情報の取得項目（取得属性）と、パソコン１０１に管理されるユーザ情報の管理項目（図５のアドレス帳５０１の管理項目）との対応関係を入力するための入力画面である。例えば、取得項目「ｍａｉｌ」と管理項目「メールアドレス」とを対応させる場合には、図１８のように、両項目の交点の四角形をマウス１１４でクリックする等してチェックするのである。第３実施例では、入力画面１８０１で入力された取得項目と管理項目との対応関係の入力情報に基づいて、取得項目と管理項目との対応関係がカスタマイズされることになる。なお、代表ユーザのユーザ情報は、取得項目の意味付けを説明する役割を担っている。
【００７１】
図１８の入力画面１８０１は、ここではＷｅｂ画面であるとする。入力画面１８０１を表示するためのＨＴＭＬ文書（ＨＴＭＬ文書データ）は、ＨＤＤ２０４に蓄積させておくものとする。なお、図１によりすでに説明したように、ネットワークソフト３０３は、ＨＴＭＬ文書等を配信するためのＷｅｂサーバソフト、ＨＴＭＬ文書等を閲覧するためのＷｅｂブラウザ等により構成されている。
【００７２】
ディスプレイ１１２により表示される入力画面１８０１は、ネットワークソフト３０３を構成するＷｅｂサーバソフトからネットワークソフト３０３を構成するＷｅｂブラウザにＨＴＭＬ文書の形で送信（配信）されて表示されるものである。
【００７３】
続いて、ディスプレイ１１２により表示されている入力画面１８０１で、キーボード１１３やマウス１１４により取得項目と管理項目との対応関係が入力されて、入力情報送信ボタン１８０２がマウス１１４でクリックされると、その入力画面１８０１で入力された取得項目と管理項目との対応関係の入力情報がネットワークソフト３０３からユーザ情報管理ソフト３０４に提供（Ｓ３５）される。
【００７４】
キーボード１１３やマウス１１４により入力される入力情報は、ネットワークソフト３０３を構成するＷｅｂブラウザからネットワークソフト３０３を構成するＷｅｂサーバソフトに送信されて提供されるものである。
【００７５】
続いて、ユーザ情報管理ソフト３０４は、その入力情報に基づいて、取得項目と管理項目との対応関係をカスタマイズ（Ｓ３６）する。なお、カスタマイズ情報は、ユーザ情報管理ソフト３０４により図１５のような対応表１５０１にてＨＤＤ２０４に蓄積されて管理される。
【００７６】
このように、第３実施例では、図１８のような入力画面１８０１により、ＬＤＡＰサーバ７０１から取得されるユーザ情報の取得項目と、パソコン１０１に管理されるユーザ情報の管理項目との対応関係を比較的簡単にカスタマイズすることができる。
【００７７】
（第４実施例）
図１のパソコン１０１に係る第４実施例について、図２１と図２２のシステム図とフロー図により説明する。
【００７８】
第４実施例では、ＬＤＡＰサーバ７０１から取得されるユーザ情報の取得項目と、パソコン１０１に管理されるユーザ情報の管理項目との対応関係がカスタマイズされているものとする。ここでは、第１実施例の手法により取得項目と管理項目との対応関係がカスタマイズされて、ユーザ情報管理ソフト３０４によりカスタマイズ情報がＨＤＤ２０４に蓄積されて管理されているものとする。
【００７９】
図２３の画面変化図は、図１０の画面変化図に続く画面変化図である。第４実施例では、図１０の画面Ｆから図２３の画面Ｇにやがて画面が移る。
【００８０】
画面Ｇには、ユーザ情報管理ソフト３０４からメールソフト３０２に提供（Ｓ８）されたユーザ情報が表示される。このユーザ情報は、ＬＤＡＰサーバ７０１からユーザ情報管理ソフト３０４に応答（Ｓ５）された検索結果、すなわち、ＬＤＡＰサーバ７０１から取得されたユーザ情報である。ただし、ＬＤＡＰサーバ７０１から取得されたユーザ情報そのままではなく、ユーザ情報管理ソフト３０４が、カスタマイズ情報に基づいて、取得項目（図１１参照）を管理項目（図５・図６参照）に置き換えたものである。例えば、取得項目「ｍａｉｌ」は管理項目「メールアドレス」に置き換えられている。なお、図２３の画面Ｇにユーザ「鈴木＊＊」のユーザ情報が多数表示されているのは、図１０の画面ＥでＬＤＡＰ検索条件「名前」が前方一致で「鈴木」と入力されたためである。
【００８１】
画面Ｇでユーザ「鈴木太郎」がマウス１１４でクリックされて「詳細ボタン２３０１」がマウス１１４でクリックされると、画面Ｈに画面が移る。画面Ｈには、ユーザ「鈴木太郎」のユーザ情報の詳細が表示される。やはり、取得項目は管理項目に置き換えられている。画面Ｈで「閉じるボタン２３０２」がマウス１１４でクリックされると、画面Ｇに画面が戻る。
【００８２】
画面Ｇで「見出し切り替えボタン２３１１」がマウス１１４でクリックされると、画面Ｉに画面が移る。
【００８３】
画面Ｉで「検索結果印刷ボタン２３２１」がマウス１１４でクリックされると、メールソフト３０２からユーザ情報管理ソフト３０４に検索結果（ＬＤＡＰサーバ７０１から取得されたユーザ情報）の印刷要求が送信される。すると、ユーザ情報管理ソフト３０４からプリンタドライバ３０６に検索結果の印刷要求が送信されて、ＭＯＤＥＭ２０５を送信部として、プリンタドライバ３０６により検索結果を印刷するための画像がプリンタ２１０２に送信されて、プリンタ２１０２により検索結果が印刷される。これにより、検索結果の確認が比較的簡単になる。
【００８４】
画面Ｉで「検索結果送信ボタン２３２２」がマウス１１４でクリックされると、メールソフト３０２からユーザ情報管理ソフト３０４に検索結果（ＬＤＡＰサーバ７０１から取得されたユーザ情報）の送信要求が送信される。すると、ユーザ情報管理ソフト３０４からネットワークソフト３０３に検索結果の送信要求が送信されて、ＭＯＤＥＭ２０５を送信部として、ネットワークソフト３０３により検索結果が記載されたメール（テキストで記載されてもイメージで記載されてもよい）がネットワーク等を介して他の機器に送信される。検索結果が記載されたメールの代わりに、検索結果を表示するためのＨＴＭＬ文書のＵＲＬが記載されたメールでもよい。これらにより、検索結果の確認が比較的簡単になる。
【００８５】
画面Ｉで「一括登録ボタン２３２３」がマウス１１４でクリックされると、メールソフト３０２からユーザ情報管理ソフト３０４に検索結果（ＬＤＡＰサーバ７０１から取得されたユーザ情報）の一括登録要求が送信される。すると、ユーザ情報管理ソフト３０４は、登録するユーザ情報が存在する全ユーザに関して、登録するユーザ情報が存在する全管理項目にユーザ情報を登録する。ユーザ情報は、図５のアドレス帳５０１の各管理項目に登録されて管理される。
【００８６】
画面Ｉで「選択登録ボタン２３２４」がマウス１１４でクリックされると、メールソフト３０２からユーザ情報管理ソフト３０４に検索結果（ＬＤＡＰサーバ７０１から取得されたユーザ情報）の選択登録要求が送信（Ｓ４１）される。すると、図２４のような記入用紙２４０１を印刷すべく、ユーザ情報管理ソフト３０４からプリンタドライバ３０６に記入用紙２４０１の印刷要求が送信（Ｓ４２）されて、ＭＯＤＥＭ２０５を送信部として、プリンタドライバ３０６により記入用紙２４０１を印刷するための画像がプリンタ２１０２に送信されて、プリンタ２１０２により記入用紙２４０１が印刷される。
【００８７】
図２４の記入用紙２４０１は、ＬＤＡＰサーバ７０１からユーザ情報が取得されたとき、各ユーザに関して、どの管理項目（図５のアドレス帳５０１の管理項目）にそのユーザ情報を登録して管理するかを記入するための記入用紙である。例えば、ＬＤＡＰサーバ７０１からユーザ情報が取得されたとき、ユーザ「鈴木太郎」に関して、管理項目「メールアドレス」にそのユーザ情報を登録して管理する場合には、図２４のように、前者と後者の交点の四角形を鉛筆等で塗りつぶすのである。第４実施例では、記入用紙２４０１に記入されたどの管理項目にユーザ情報を登録して管理するかの記入情報に基づいて、各管理項目にユーザ情報が登録されて管理されることになる。なお、記入用紙２４０１には、カスタマイズ情報に基づいて、取得項目（取得属性）と管理項目との対応関係が印刷される。これは、取得項目と管理項目との対応関係を説明する役割を担っている。
【００８８】
図２４の記入用紙２４０１を印刷するための画像（画像データ）は、ＨＤＤ２０４に蓄積させておくものとする。
【００８９】
続いて、プリンタ２１０２により印刷された記入用紙２４０１にどの管理項目にユーザ情報を登録して管理するかが記入されて、スキャナ２１０１によりその記入用紙２４０１から画像が取得されて、ＭＯＤＥＭ２０５を受信部として、スキャナドライバ３０５によりその画像がスキャナ２１０１から受信されると、スキャナドライバ３０５からユーザ情報管理ソフト３０４にその画像が提供（Ｓ４３）される。なお、スキャナ２１０１から受信された画像が「記入用紙２４０１から取得された画像」であることをパソコン１０１に認識させる必要があるが、例えば、その画像が「記入用紙２４０１から取得された画像」である旨の操作が入力されると、その画像が「記入用紙２４０１から取得された画像」であることがユーザ情報管理ソフト３０４により認識されるようにする。
【００９０】
続いて、ユーザ情報管理ソフト３０４は、その画像に基づいて、各管理項目にユーザ情報を登録（Ｓ４４）する。具体的に言うと、ユーザ情報管理ソフト３０４は、その画像について画像処理を実行することにより、記入用紙２４０１に記入されたどの管理項目にユーザ情報を登録して管理するかの記入情報を検出して、その記入情報に基づいて、各管理項目にユーザ情報を登録する。画像処理はここでは擬似ＯＭＲ処理であり、マークシートと同様にして、四角形が鉛筆等で塗りつぶされているか否かを、白か黒かの閾値処理により検出する。ユーザ情報は、図５のアドレス帳５０１の各管理項目に登録されて管理される。
【００９１】
このように、第４実施例では、ＬＤＡＰサーバ７０１からユーザ情報が取得されたとき、図２４のような記入用紙２４０１により、各ユーザに関して、どの管理項目にそのユーザ情報を登録して管理するかを比較的簡単に取捨選択することができる。
【００９２】
（第５実施例）
図１のパソコン１０１に係る第５実施例について、図２５と図２６のシステム図とフロー図により説明する。
【００９３】
第５実施例では、ＬＤＡＰサーバ７０１から取得されるユーザ情報の取得項目と、パソコン１０１に管理されるユーザ情報の管理項目との対応関係がカスタマイズされているものとする。ここでは、第２実施例の手法により取得項目と管理項目との対応関係がカスタマイズされて、ユーザ情報管理ソフト３０４によりカスタマイズ情報がＨＤＤ２０４に蓄積されて管理されているものとする。
【００９４】
図２３の画面変化図は、図１０の画面変化図に続く画面変化図である。第５実施例では、図１０の画面Ｆから図２３の画面Ｇにやがて画面が移る。画面Ｇと、画面Ｈと、画面Ｉの「検索結果印刷ボタン２３２１」と「検索結果送信ボタン２３２２」と「一括登録ボタン２３２３」については、第４実施例と同様である。
【００９５】
画面Ｉで「選択登録ボタン２３２４」がマウス１１４でクリックされると、メールソフト３０２からユーザ情報管理ソフト３０４に検索結果（ＬＤＡＰサーバ７０１から取得されたユーザ情報）の選択登録要求が送信（Ｓ５１）される。すると、図２７のような入力画面２７０１を送信すべく、ユーザ情報管理ソフト３０４からネットワークソフト３０３にメールの送信要求が送信（Ｓ５２）されて、ＭＯＤＥＭ２０５を送信部として、ネットワークソフト３０３によりメールがネットワーク等を介して他の機器に送信される。ここでは、ＬＡＮ７１１を介してＬＡＮ７１１に接続されているパソコン２５０１（パソコン１０１以外のパソコン）に送信される。
【００９６】
図２７の入力画面２７０１は、ＬＤＡＰサーバ７０１からユーザ情報が取得されたとき、各ユーザに関して、どの管理項目（図５のアドレス帳５０１の管理項目）にそのユーザ情報を登録して管理するかを入力するための入力画面である。例えば、ＬＤＡＰサーバ７０１からユーザ情報が取得されたとき、ユーザ「鈴木太郎」に関して、管理項目「メールアドレス」にそのユーザ情報を登録して管理する場合には、図２７のように、前者と後者の交点の四角形をマウスでクリックする等してチェックするのである。第５実施例では、入力画面２７０１で入力されたどの管理項目にユーザ情報を登録して管理するかの入力情報に基づいて、各管理項目にユーザ情報が登録されて管理されることになる。なお、入力画面２７０１には、カスタマイズ情報に基づいて、取得項目（取得属性）と管理項目との対応関係が表示される。これは、取得項目と管理項目との対応関係を説明する役割を担っている。
【００９７】
図２７の入力画面２７０１は、ここではＷｅｂ画面であるとする。入力画面２７０１を表示するためのＨＴＭＬ文書（ＨＴＭＬ文書データ）は、ＨＤＤ２０４に蓄積させておくものとする。上記のメールは、ここではＨＴＭＬメールであるとする。上記のメールには、入力画面２７０１を表示するためのＨＴＭＬ文書のＵＲＬが記載されるものとする。なお、図１によりすでに説明したように、ネットワークソフト３０３は、ＨＴＭＬ文書等を配信するためのＷｅｂサーバソフト、ＨＴＭＬ文書等を閲覧するためのＷｅｂブラウザ等により構成されている。
【００９８】
パソコン２５０１にて、パソコン１０１から送信されたメールを開くと、入力画面２７０１を表示するためのＨＴＭＬ文書のＵＲＬが記載されている。その入力画面２７０１を表示すべく、そのＵＲＬを利用してそのＨＴＭＬ文書を閲覧しようとすると、パソコン１０１にそのＨＴＭＬ文書の配信要求が送信される。
【００９９】
パソコン１０１にて、ＭＯＤＥＭ２０５を受信部として、ネットワークソフト３０３を構成するＷｅｂサーバソフトにより入力画面２７０１を表示するためのＨＴＭＬ文書の配信要求がパソコン２５０１から受信されると、ＭＯＤＥＭ２０５を送信部として、ネットワークソフト３０３を構成するＷｅｂサーバソフトによりその入力画面２７０１がＨＴＭＬ文書の形でパソコン２５０１に送信（配信）される。
【０１００】
パソコン２５０１にて、パソコン１０１からＨＴＭＬ文書の形で送信（配信）された入力画面２７０１でどの管理項目にユーザ情報を登録して管理するかを入力して、入力情報送信ボタン２７０２をクリックすると、パソコン１０１にその入力画面２５０１で入力されたどの管理項目にユーザ情報を登録して管理するかの入力情報が送信される。
【０１０１】
パソコン１０１にて、ＭＯＤＥＭ２０５を受信部として、ネットワークソフト３０３を構成するＷｅｂサーバソフトによりその入力情報がパソコン２５０１から受信されると、ネットワークソフト３０３からユーザ情報管理ソフト３０４にその入力情報が提供（Ｓ５３）される。
【０１０２】
続いて、ユーザ情報管理ソフト３０４は、その入力情報に基づいて、各管理項目にユーザ情報を登録（Ｓ５４）する。ユーザ情報は、図５のアドレス帳５０１の各管理項目に登録されて管理される。
【０１０３】
このように、第５実施例では、ＬＤＡＰサーバ７０１からユーザ情報が取得されたとき、図２７のような入力画面２７０１により、各ユーザに関して、どの管理項目にそのユーザ情報を登録して管理するかを比較的簡単に取捨選択することができる。
【０１０４】
（第６実施例）
図１のパソコン１０１に係る第６実施例について、図２８と図２９のシステム図とフロー図により説明する。
【０１０５】
第６実施例では、ＬＤＡＰサーバ７０１から取得されるユーザ情報の取得項目と、パソコン１０１に管理されるユーザ情報の管理項目との対応関係がカスタマイズされているものとする。ここでは、第３実施例の手法により取得項目と管理項目との対応関係がカスタマイズされて、ユーザ情報管理ソフト３０４によりカスタマイズ情報がＨＤＤ２０４に蓄積されて管理されているものとする。
【０１０６】
図２３の画面変化図は、図１０の画面変化図に続く画面変化図である。第６実施例では、図１０の画面Ｆから図２３の画面Ｇにやがて画面が移る。画面Ｇと、画面Ｈと、画面Ｉの「検索結果印刷ボタン２３２１」と「検索結果送信ボタン２３２２」と「一括登録ボタン２３２３」については、第４実施例と同様である。
【０１０７】
画面Ｉで「選択登録ボタン２３２４」がマウス１１４でクリックされると、メールソフト３０２からユーザ情報管理ソフト３０４に検索結果（ＬＤＡＰサーバ７０１から取得されたユーザ情報）の選択登録要求が送信（Ｓ６１）される。すると、図２７のような入力画面２７０１を表示すべく、ユーザ情報管理ソフト３０４からネットワークソフト３０３に入力画面２７０１の表示要求が送信（Ｓ６２）されて、ディスプレイ１１２により入力画面２７０１が表示される。
【０１０８】
図２７の入力画面２７０１は、ＬＤＡＰサーバ７０１からユーザ情報が取得されたとき、各ユーザに関して、どの管理項目（図５のアドレス帳５０１の管理項目）にそのユーザ情報を登録して管理するかを入力するための入力画面である。例えば、ＬＤＡＰサーバ７０１からユーザ情報が取得されたとき、ユーザ「鈴木太郎」に関して、管理項目「メールアドレス」にそのユーザ情報を登録して管理する場合には、図２７のように、前者と後者の交点の四角形をマウス１１４でクリックする等してチェックするのである。第６実施例では、入力画面２７０１で入力されたどの管理項目にユーザ情報を登録して管理するかの入力情報に基づいて、各管理項目にユーザ情報が登録されて管理されることになる。なお、入力画面２７０１には、カスタマイズ情報に基づいて、取得項目（取得属性）と管理項目との対応関係が表示される。これは、取得項目と管理項目との対応関係を説明する役割を担っている。
【０１０９】
図２７の入力画面２７０１は、ここではＷｅｂ画面であるとする。入力画面２７０１を表示するためのＨＴＭＬ文書（ＨＴＭＬ文書データ）は、ＨＤＤ２０４に蓄積させておくものとする。なお、図１によりすでに説明したように、ネットワークソフト３０３は、ＨＴＭＬ文書等を配信するためのＷｅｂサーバソフト、ＨＴＭＬ文書等を閲覧するためのＷｅｂブラウザ等により構成されている。
【０１１０】
ディスプレイ１１２により表示される入力画面２７０１は、ネットワークソフト３０３を構成するＷｅｂサーバソフトからネットワークソフト３０３を構成するＷｅｂブラウザにＨＴＭＬ文書の形で送信（配信）されて表示されるものである。
【０１１１】
続いて、ディスプレイ１１２により表示されている入力画面２７０１で、キーボード１１３やマウス１１４によりどの管理項目にユーザ情報を登録して管理するかが入力されて、入力情報送信ボタン２７０２がマウス１１４でクリックされると、その入力画面２７０１で入力されたどの管理項目にユーザ情報を登録して管理するかの入力情報がネットワークソフト３０３からユーザ情報管理ソフト３０４に提供（Ｓ６３）される。
【０１１２】
キーボード１１３やマウス１１４により入力される入力情報は、ネットワークソフト３０３を構成するＷｅｂブラウザからネットワークソフト３０３を構成するＷｅｂサーバソフトに送信されて提供されるものである。
【０１１３】
続いて、ユーザ情報管理ソフト３０４は、その入力情報に基づいて、各管理項目にユーザ情報を登録（Ｓ６４）する。ユーザ情報は、図５のアドレス帳５０１の各管理項目に登録されて管理される。
【０１１４】
このように、第６実施例では、ＬＤＡＰサーバ７０１からユーザ情報が取得されたとき、図２７のような入力画面２７０１により、各ユーザに関して、どの管理項目にそのユーザ情報を登録して管理するかを比較的簡単に取捨選択することができる。
【０１１５】
【発明の効果】
このように、本発明は第１に、ＬＤＡＰサーバ等の情報管理サーバからユーザ情報を取得して管理する情報処理装置に関して、情報管理サーバから取得されるユーザ情報の取得項目と、情報処理装置に管理されるユーザ情報の管理項目との対応関係を比較的簡単にカスタマイズすることを可能にする。
【０１１６】
このように、本発明は第２に、ＬＤＡＰサーバ等の情報管理サーバからユーザ情報を取得して管理する情報処理装置に関して、情報管理サーバからユーザ情報を取得したとき、どの管理項目にユーザ情報を登録して管理することにするかを比較的簡単に取捨選択することを可能にする。
【図面の簡単な説明】
【図１】本発明の実施の形態の例であるパソコンを表す。
【図２】パソコン本体のハードウェア構成を表す。
【図３】パソコン本体のソフトウェア構成を表す。
【図４】メール画面を表す。
【図５】パソコンに管理されるユーザ情報に係るアドレス帳を表す。
【図６】パソコンに管理されるユーザ情報に係るツリー構造を表す。
【図７】パソコンとＬＤＡＰサーバの間での要求と応答に係るシステム図である。
【図８】パソコンとＬＤＡＰサーバの間での要求と応答に係るフロー図である。
【図９】システム初期設定画面とＬＤＡＰサーバ登録／変更画面を表す。
【図１０】パソコンとＬＤＡＰサーバの間での要求と応答に係る画面変化図である。
【図１１】ＬＤＡＰサーバから取得されたユーザ情報を表す。
【図１２】第１実施例に係るシステム図である。
【図１３】第１実施例に係るフロー図である。
【図１４】取得項目と管理項目との対応関係を記入するための記入用紙を表す。
【図１５】パソコンに管理されるカスタマイズ情報に係る対応表を表す。
【図１６】第２実施例に係るシステム図である。
【図１７】第２実施例に係るフロー図である。
【図１８】取得項目と管理項目との対応関係を入力するための入力画面を表す。
【図１９】第３実施例に係るシステム図である。
【図２０】第３実施例に係るフロー図である。
【図２１】第４実施例に係るシステム図である。
【図２２】第４実施例に係るフロー図である。
【図２３】図１０の画面変化図に続く画面変化図である。
【図２４】どの管理項目にユーザ情報を登録して管理するかを記入するための記入用紙を表す。
【図２５】第５実施例に係るシステム図である。
【図２６】第５実施例に係るフロー図である。
【図２７】どの管理項目にユーザ情報を登録して管理するかを入力するための入力画面を表す。
【図２８】第６実施例に係るシステム図である。
【図２９】第６実施例に係るフロー図である。
【符号の説明】
１０１  パソコン
１１１  パソコン本体
１１２  ディスプレイ
１１３  キーボード
１１４  マウス
２０１  ＣＰＵ
２０２  ＲＯＭ
２０３  ＲＡＭ
２０４  ＨＤＤ
２０５  ＭＯＤＥＭ
３０１  ＯＳ
３０２  メールソフト
３０３  ネットワークソフト
３０４  ユーザ情報管理ソフト
３０５  スキャナドライバ
３０６  プリンタドライバ
４０１  メール画面
５０１  アドレス帳
６０１  ツリー構造
７０１  ＬＤＡＰサーバ
７１１  ＬＡＮ
９０１  システム初期設定画面
９０２  ＬＤＡＰサーバ登録／変更画面
９０３  属性カスタマイズボタン
１００１  ルーペボタン
１００２  ＬＤＡＰ検索ボタン
１０１１  ＬＤＡＰサーバ選択ボタン
１０１２  ＬＤＡＰ検索条件入力ボタン
１０２１  ＯＫボタン
１０２２  ＯＫボタン
１４０１  記入用紙
１５０１  対応表
１６０１  パソコン
１８０１  入力画面
１８０２  入力情報送信ボタン
２３０１  詳細ボタン
２３０２  閉じるボタン
２３１１  見出し切り替えボタン
２３２１  検索結果印刷ボタン
２３２２  検索結果送信ボタン
２３２３  一括登録ボタン
２３２４  選択登録ボタン
２４０１  記入用紙
２５０１  パソコン
２７０１  入力画面
２７０２  入力情報送信ボタン
【図１】
2004272687.tif 000003
【図２】
2004272687.tif 000004
【図３】
2004272687.tif 000005
【図４】
2004272687.tif 000006
【図５】
2004272687.tif 000007
【図６】
2004272687.tif 000008
【図７】
2004272687.tif 000009
【図８】
2004272687.tif 000010
【図９】
2004272687.tif 000011
【図１０】
2004272687.tif 000012
【図１１】
2004272687.tif 000013
【図１２】
2004272687.tif 000014
【図１３】
2004272687.tif 000015
【図１４】
2004272687.tif 000016
【図１５】
2004272687.tif 000017
【図１６】
2004272687.tif 000018
【図１７】
2004272687.tif 000019
【図１８】
2004272687.tif 000020
【図１９】
2004272687.tif 000021
【図２０】
2004272687.tif 000022
【図２１】
2004272687.tif 000023
【図２２】
2004272687.tif 000024
【図２３】
2004272687.tif 000025
【図２４】
2004272687.tif 000026
【図２５】
2004272687.tif 000027
【図２６】
2004272687.tif 000028
【図２７】
2004272687.tif 000029
【図２８】
2004272687.tif 000030
【図２９】
2004272687.tif 000031